【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
ユーザマシンからネットワークへの新規ネットワーク接続を構成する方法であって、
前記ユーザマシンによってサポート可能な１つまたは複数のネットワーク接続を判定するステップと、
前記ユーザマシンのユーザに、前記ユーザマシンによってサポート可能なネットワーク接続をリストしたネットワーク接続オプションのリストを提示するステップと、
第１のネットワークに関連するネットワーク接続オプションのユーザ選択を受け取るステップと、
前記ユーザマシンから前記第１のネットワークへの接続を構成するステップと、
前記ユーザマシンから前記第１のネットワークへの確立済みの前記接続を試験するステップとを含むことを特徴とする方法。
【請求項２】
前記ユーザマシンによってサポート可能な１つまたは複数のネットワーク接続を判定する前記ステップは、前記ユーザマシンが、前記１つまたは複数のネットワーク接続に適したネットワークハードウェアを含むと判定するステップを含むことを特徴とする請求項１に記載の方法。
【請求項３】
前記ユーザマシンによってサポート可能な１つまたは複数のネットワーク接続を判定する前記ステップは、前記１つまたは複数のネットワーク接続で使用可能なタイプの１つまたは複数のネットワークが存在すると判定するステップをさらに含むことを特徴とする請求項２に記載の方法。
【請求項４】
前記ユーザマシンのユーザにネットワーク接続オプションのリストを提示する前記ステップは、前記ユーザに手動接続オプションを提示するステップをさらに含み、それによって前記ユーザはネットワーク接続を手動で構成することを選択できるようになることを特徴とする請求項１に記載の方法。
【請求項５】
前記ユーザが、提示された前記ネットワーク接続オプションのリストにリストされていないネットワーク接続を手動で構成することを選択することができることを特徴とする請求項２に記載の方法。
【請求項６】
前記ユーザマシンから前記第１のネットワークへの確立済みの前記接続を試験する前記ステップは、
前記ユーザマシン上でバックグラウンドで前記第１のネットワークに接続するステップと、
ネットワーク接続を検証するステップと、
バックグラウンドで前記ユーザマシンを前記第１のネットワークから切断するステップとを含むことを特徴とする請求項１に記載の方法。
【請求項７】
前記ユーザマシンから前記第１のネットワークへの確立済みの前記接続を試験する前記ステップは、前記ユーザマシンのユーザに前記ネットワーク接続のステータスを通知するステップをさらに含むことを特徴とする請求項１に記載の方法。
【請求項８】
前記ユーザマシンによってサポート可能な前記１つまたは複数のネットワーク接続は、イーサネット（登録商標）、８０２．１１、８０２．１６（ＷｉＭＡＸ）、ＧＳＭ／ＣＤＭＡ、Ｂｌｕｅｔｏｏｔｈ  ＰＡＮ、およびダイアルアップからなる群から選択されたタイプのネットワークを含むことを特徴とする請求項１に記載の方法。
【請求項９】
ユーザマシンからネットワークへの新規ネットワーク接続を構成する方法をプロセッサに実行させるためのコンピュータ可読命令を記録したコンピュータ可読記録媒体であって、前記命令は、プロセッサに、
前記ユーザマシンによってサポート可能な１つまたは複数のネットワーク接続を判定することと、
前記ユーザマシンのユーザに、前記ユーザマシンによってサポート可能な前記ネットワーク接続をリストしたネットワーク接続オプションのリストを提示することと、
第１のネットワークに関連するネットワーク接続オプションのユーザ選択を受け取ることと、
前記ユーザマシンから前記第１のネットワークへの接続を構成することと、
前記ユーザマシンから前記第１のネットワークへの確立済みの前記接続を試験することと
を実行させることを特徴とするコンピュータ可読記録媒体。
【請求項１０】
前記ユーザマシンによってサポート可能な１つまたは複数のネットワーク接続を判定することは、前記ユーザマシンが前記１つまたは複数のネットワーク接続に適したネットワークハードウェアを含むと判定することを含むことを特徴とする請求項９に記載のコンピュータ可読記録媒体。
【請求項１１】
前記ユーザマシンによってサポート可能な１つまたは複数のネットワーク接続を判定することは、前記１つまたは複数のネットワーク接続で使用可能なタイプの１つまたは複数のネットワークが存在すると判定することをさらに含むことを特徴とする請求項１０に記載のコンピュータ可読記録媒体。
【請求項１２】
前記ユーザマシンのユーザへのネットワーク接続オプションのリストを提示することは、前記ユーザに手動接続オプションを提示することをさらに含み、それにより前記ユーザはネットワーク接続を手動で構成することを選択できるようになることを特徴とする請求項９に記載のコンピュータ可読記録媒体。
【請求項１３】
前記ユーザが、提示された前記ネットワーク接続オプションのリストにリストされていないネットワーク接続を手動で構成することを選択することができることを特徴とする請求項１０に記載のコンピュータ可読記録媒体。
【請求項１４】
前記ユーザマシンから前記第１のネットワークへの確立済みの前記接続を試験することは、
前記ユーザマシン上でバックグラウンドで前記第１のネットワークに接続することと、
ネットワーク接続を検証することと、
バックグラウンドで前記ユーザマシンを前記第１のネットワークから切断することと
をさらに含むことを特徴とする請求項９に記載のコンピュータ可読記録媒体。
【請求項１５】
前記ユーザマシンから前記第１のネットワークへの確立済みの前記接続を試験することは、前記ユーザマシンのユーザに前記ネットワーク接続のステータスを通知することをさらに含むことを特徴とする請求項９に記載のコンピュータ可読記録媒体。
【請求項１６】
前記ユーザマシンによってサポート可能な前記１つまたは複数のネットワーク接続は、イーサネット（登録商標）、８０２．１１、８０２．１６（ＷｉＭＡＸ）、ＧＳＭ／ＣＤＭＡ、Ｂｌｕｅｔｏｏｔｈ  ＰＡＮ、およびダイアルアップからなる群から選択されたタイプのネットワークを含むことを特徴とする請求項９に記載のコンピュータ可読記録媒体。
【請求項１７】
ユーザマシンのユーザが、前記ユーザマシンからネットワークへの接続を構成するのを支援するための接続ウィザードであって、
前記ユーザマシンによってサポート可能な１つまたは複数のネットワーク接続タイプを判定するためのネットワークおよびネットワークハードウェア検出モジュールと、
前記ネットワークおよびネットワークハードウェア検出モジュールと通信するユーザインターフェースモジュールであって、前記ユーザマシンによってサポート可能な前記１つまたは複数のネットワーク接続タイプの通知を受け取るため、かつ前記ユーザマシンによってサポート可能な前記１つまたは複数のネットワーク接続タイプのリストを提示するユーザインターフェースを生成するため、かつ構成すべき第１のネットワーク接続タイプのユーザ選択を受け取るため、かつ前記第１のネットワーク接続タイプのネットワーク接続を構成するプロセスにより前記ユーザインターフェースを介して前記ユーザを案内するためのユーザインターフェースモジュールと、
前記ユーザインターフェースモジュールと通信する試験モジュールであって、前記ユーザインターフェースモジュールから前記第１のネットワーク接続タイプの接続の前記構成が完了したとの指示を受け取るため、かつ前記構成された接続を試験するための試験モジュールとを含むことを特徴とする接続ウィザード。
【請求項１８】
前記構成された接続を試験することは、バックグラウンドで接続すること、およびバックグラウンドで切断することを含むことを特徴とする請求項１７に記載の接続ウィザード。
【請求項１９】
前記構成された接続を試験することは、前記ユーザに表示するために、前記接続のステータスを前記ユーザインターフェースモジュールに報告することをさらに含むことを特徴とする請求項１８に記載の接続ウィザード。
【請求項２０】
前記ユーザマシンによってサポート可能な前記１つまたは複数のネットワーク接続は、イーサネット（登録商標）、８０２．１１、８０２．１６（ＷｉＭＡＸ）、ＧＳＭ／ＣＤＭＡ、Ｂｌｕｅｔｏｏｔｈ  ＰＡＮ、およびダイアルアップからなる群から選択されたタイプのネットワークを含むことを特徴とする請求項１７に記載の接続ウィザード。